(57)【特許請求の範囲】
【請求項１】
移動可能となるよう構成されたベースに昇降手段を具備したマストが立設されると共に、該マストによって入浴者の乗るボトムが支持されてなる形態の入浴用ストレッチャーにおいて、前記ボトムを二つの側部ボトムと中間ボトムに分割構成し、前記マストに組付けた支持フレームの支持パイプに側部ボトムをそれぞれ回動可能に組付けると共に、これらの側部ボトムにそれぞれ連動機構を介して中間ボトムを連設することにより、何れの側部ボトムも上下回動可能かつ隣接する側部ボトムの傾斜方向と異なる傾斜方向に中間ボトムが傾斜するよう構成し、さらに、側部ボトムの回動状態を適宜保持する保持手段を側部ボトムと支持フレーム間に構成したことを特徴とする入浴用ストレッチャー。
【請求項２】
側部ボトムを保持手段にて保持した状態において、連動機構と、支持フレームに対する中間ボトムの左右方向の動きを規制する規制手段とによって、中間ボトムが支持フレームに対して動くことを防止した状態で、中間ボトムを保持するようにしたことを特徴とする請求項１に記載の入浴用ストレッチャー。
【発明の詳細な説明】
【技術分野】
【０００１】
本発明は、入浴用ストレッチャーに関するものである。
【背景技術】
【０００２】
従来の昇降手段が具備されたマストによって入浴者の乗るボトムが支持された形態の入浴用ストレッチャーには次のようなものがある。
まず、第一の形態の入浴用ストレッチャーでは、二つの側部ボトムを中間ボトムに回動可能に組付けることで、ボトムが構成されている。また、キャスターを設けて移動可能としたベースに、昇降手段を具備したマストが立設されている。そして、前記マストに固定したアームに前記中間ボトムが固定されている。さらに、一方の側部ボトムには枕が配設され、他方の側部ボトムには足受けが取付けられている。そして、枕と足受けを入れ替えてそれぞれの側部ボトムに取付けることを可能として、どちらの側部ボトムも入浴者の背中を支持する背ボトムとして使用可能とすると共に入浴者の脚を支持する脚ボトムとしても使用可能としている（例えば、特許文献１参照。）。
この入浴用ストレッチャーによると、入浴者の頭が側部ボトムのどちら側にきても、入浴者の頭が位置する側部ボトムを背上げでき、入浴者がボトム上で長座の姿勢となることができる。すなわち、この入浴用ストレッチャーは、浴室の構成に合わせてマストに対する入浴者の頭の位置を変えて、入浴者を入浴させることができる。
【０００３】
また、第二の形態の入浴用ストレッチャーでは、背ボトムと脚ボトムを腰ボトムに回動可能に組付けることで、ボトムが構成されている。また、キャスターを設けて移動可能としたベースに、昇降手段を具備したマストが立設されている。そして、前記マストに固定した枠体に前記腰ボトムの脚ボトム取付け側の一側部が枢結されると共に、腰ボトムの背ボトム取付け側の一側部が前記枠体にリンク片にて枢結され、さらに、腰ボトムと背ボトム間に、前記枠体を介在させて前記リンク片を含むリンク機構が構成されている。このようにすることで、背ボトムを背上げしたときに、腰ボトムの脚ボトム取付け側の枠体との枢結部を中心に、腰ボトムの背ボトム取付け側が下方回動されようにしている（例えば、特許文献２参照。）。
この入浴用ストレッチャーによると、背ボトムを背上げしたときに、腰ボトムの背ボトム取付け側が沈み込むように下方回動されることから、利用者が足側へズレ動かないようにでき、入浴者が安定した姿勢で入浴できる。
【特許文献１】特開２００１−２３８９３０号公報
【特許文献２】実開昭６１−１１１４２２号公報
【発明の開示】
【発明が解決しようとする課題】
【０００４】
しかしながら、第一の形態の入浴用ストレッチャーは、側部ボトムを背上げした際に、中間ボトムは不動とされており、その状態では、入浴者は足側へズレ動きやすい不安定な姿勢となる。また、ボトム上に入浴者がズレ動きにくいように、マットを敷設したとしても、入浴の際に該マットが水に濡れたり、マットに洗体用の石鹸がついたりすることで、ズレ動きやすくなる問題がある。
また、第二の形態の入浴用ストレッチャーは、背ボトムと脚ボトムを互いに兼用し合うことができないため、浴室を複数有する施設等では、浴室の構成に合わせてマストに対する背ボトムの位置が逆となる構成の当該入浴用ストレッチャーを複数持つか、或いは、当該入浴用ストレッチャー一台ですべての浴室に対応できるように浴室を作り変える必要が生じる場合がある。また、当該入浴用ストレッチャーをマストに対する背ボトムの位置が逆となるように組替え可能なものとして、浴室の構成に合わせて都度組替える方法もあるが、マストから一度ボトムを取外して組付け直すことは、非常に手間がかかる。
そこで、本発明が解決しようとする課題は、二つの側部ボトムのどちらも入浴者の背中を支持する背ボトムとして使用可能とすると共に入浴者の脚を支持する脚ボトムとしても使用可能とし、さらに、側部ボトムを背上げした際に、入浴者が安定した姿勢をとれるようにした入浴用ストレッチャーを提供することを課題とする。
【課題を解決するための手段】
【０００５】
請求項１の発明は、移動可能となるよう構成されたベースに昇降手段を具備したマストが立設されると共に、該マストによって入浴者の乗るボトムが支持されてなる形態の入浴用ストレッチャーにおいて、前記ボトムを二つの側部ボトムと中間ボトムに分割構成し、前記マストに組付けた支持フレームの支持パイプに側部ボトムをそれぞれ回動可能に組付けると共に、これらの側部ボトムにそれぞれ連動機構を介して中間ボトムを連設することにより、何れの側部ボトムも上下回動可能かつ隣接する側部ボトムの傾斜方向と異なる傾斜方向に中間ボトムが傾斜するよう構成し、さらに、側部ボトムの回動状態を適宜保持する保持手段を側部ボトムと支持フレーム間に構成したことを特徴とする。
また、請求項２の発明は、側部ボトムを保持手段にて保持した状態において、連動機構と、支持フレームに対する中間ボトムの左右方向の動きを規制する規制手段とによって、中間ボトムが支持フレームに対して動くことを防止した状態で、中間ボトムを保持するようにしたことを特徴とする。
【発明の効果】
【０００６】
請求項１の発明によれば、連動機構は、回動操作する側部ボトムに連動して中間ボトムが傾斜するように動作する構成とされると共に、側部ボトムを回動する方向に応じて、中間ボトムの回動操作した側部ボトム隣接側が回動操作した側部ボトムの回動方向と反対方向に回動する構成とされている。
このように、この入浴用ストレッチャーは、入浴者の背中が位置する側部ボトムを背上げすると、中間ボトムの回動操作した側部ボトム隣接側が下がるように回動されることから、側部ボトムの背上げに伴って入浴者の腰が沈み込むようになり、入浴者が足側へズレ動くことを防止できる。さらに、入浴者の脚が位置する側部ボトムを下方へ回動すると、中間ボトムの回動操作した側部ボトム隣接側が上がるように回動されることから、入浴者が膝を立てた状態となり、入浴者が足側へズレ動くことを防止できる。また、このように各ボトムは動作することから、側部ボトムを背上げしたときや、側部ボトムを下方回動したときに、入浴者の膝が側部ボトムの回動量に合わせて自動的に屈曲されるようになり、入浴者が安定した快適な姿勢をとることができる。
さらに、この入浴用ストレッチャーは、入浴者の背中がどちらの側部ボトムに位置するように入浴者をボトムに乗せても、上述の作用と効果を得ることができる。すなわち、この入浴用ストレッチャーは、どちらの側部ボトムも、入浴者の背中を支持する背ボトムとして使用できると共に、入浴者の脚を支持する脚ボトムとしても使用できる。
【０００７】
また、請求項２の発明によれば、保持手段と連動機構及び規制手段によって、各ボトムが不用意に動くことのない安定した状態で保持できる。これにより、入浴者がボトム上でより快適に過ごせるようになる。
【発明を実施するための最良の形態】
【０００８】
入浴用ストレッチャーにおいて、入浴者の乗るボトムを二つの側部ボトムと中間ボトムに分割構成する。また、キャスター等を設けて移動可能としたベースに、昇降手段を具備したマストを立設する。そして、前記マストに組付けた支持フレームの支持パイプに側部ボトムをそれぞれ回動可能に組付ける。さらに、これらの側部ボトムにそれぞれ連動機構を介して中間ボトムを連設し、何れの側部ボトムも上下回動可能かつ隣接する側部ボトムの傾斜方向と異なる傾斜方向に中間ボトムが傾斜するよう構成する。そして、中間ボトムと支持フレーム間に、中間ボトムの支持フレームに対する左右方向の動きを規制する規制手段を構成する。また、側部ボトムの回動状態を適宜保持する保持手段を側部ボトムと支持フレーム間に構成する。
【実施例１】
【０００９】
本発明に係る入浴用ストレッチャーの一実施例を図面に基づいて説明する。
この入浴用ストレッチャー１は、第１図に示すように、床上を移動可能としたベース２と、該ベース２に立設したマスト３と、該マスト３に組付けた支持フレーム４と、該支持フレーム４に回動可能に組付けた二つの側部ボトム５，５と、該側部ボトム５，５間に連動機構６，６を介して組付けた中間ボトム７から主に構成されている。また、中間ボトム７と支持フレーム４間に中間ボトム７の支持フレーム４に対する左右方向の動きを規制する規制手段Ｒが構成されている。さらに、側部ボトム５，５と支持フレーム４間に側部ボトム５，５を複数の回動状態で適宜保持する保持手段８，８がそれぞれ構成されている。
【００１０】
まず、ベース２について、第２図を用いて説明する。
ベース２では、所定間隔をおいて略々平行に配設された一対の主桁２ａ，２ａの後部間に連結桁２ｂが固着されている。また、前記主桁２ａ，２ａの前後端部のそれぞれに床上を移動可能とするためのキャスター２ｃ，２ｃ，・・・が車輪受具２ｄ，２ｄ，・・・を介して取付けられている。さらに、前記連結桁２ｂの中間部には後述するマスト３を取付ける取付ベース２ｅが固着されている。また、このベース２には、平面視において略々コ字形状に曲折されたフットレバー９ａを下方回動操作すると、接触具９ｂ，９ｂ，・・・が下方回動されて前記キャスター２ｃ，２ｃ，・・・の車輪２ｆ，２ｆ，・・・に接触され、キャスター２ｃ，２ｃ，・・・を不動とするブレーキ手段９が具備されている。
【００１１】
続いて、マスト３について説明する。
マスト３は、第３図に示すように、外マスト１０に内マスト１１が挿通されてなり、内部に構成された昇降手段（図示省略）によって、内マスト１１に対して外マスト１０が昇降可能とされたものである。なお、昇降手段としては、アクチュエーターを用い、該アクチュエーターを伸縮させることで、内マスト１１に対して外マスト１０が昇降されるようにしても良い。その他の昇降手段としては、螺子軸とナット部材を用い、螺子軸に沿ってナット部材を移動させることで、内マスト１１に対して外マスト１０が昇降されるようにしても良い。すなわち、昇降手段は、内マスト１１に対して外マスト１０が昇降可能に構成されたものであれば良く、本実施例に限定するものではない。
そして、マスト３は、内マスト１１の下端に固着された接続具１１ａを前記ベース２の取付ベース２ｅに螺子１２，１２にて止着することで、ベース２に立設している。
【００１２】
次に、支持フレーム４について、第４図を用いて説明する。
支持フレーム４では、所定間隔をおいて略々平行に配設された一対の支持パイプ４ａ，４ａの後部間に連結桁４ｂが固着されている。また、前記支持パイプ４ａ，４ａの前端にナット４ｃ，４ｃが固着されている。さらに、前記連結桁４ｂの中央部下方には、ボス部材４ｄが前記支持パイプ４ａ，４ａと略々平行となるように金具４ｅを介して固着されている。また、側面視において略々逆Ｌ字形状に曲折された一対の支持柱４ｆ，４ｆの上端部が後方を向くように、該支持柱４ｆ，４ｆの下端が前記連結桁４ｂ中間部に所定間隔をおいて固着されている。さらに、該支持柱４ｆ，４ｆの上端部にナット４ｇ，４ｇが固着されると共に、支持柱４ｆ，４ｆの上部間に側面視において略々扇形状の取付箱１３が固着されている。また、支持柱４ｆ，４ｆの中間部にはそれぞれ後述する保持手段８，８の基部材１４，１４が固着されている。このように構成された支持フレーム４は、正面視において前記連結桁４ｂの中央を上下方向に通る線に対して左右対称となっている。
そして、支持フレーム４は、前記取付箱１３の後部を前記マスト３の外マスト１０前面上部に設けた取付具１０ａに掛止し、前記ナット４ｇ，４ｇに螺子（図示省略）を螺着することで、マスト３に取付けている。
なお、この支持フレーム４は、上述したように支持柱４ｆ，４ｆを曲折した構成とすることで、マスト３に取付けた際に、第１２図の（ａ）図に示すように、支持フレーム４とマスト３間に空間Ｓが形成されるようにしている。これにより、支持フレーム４及び該支持フレーム４に組付けられる部材を浴槽内へ移動させる際に、前記空間Ｓ内に浴槽の一側壁が入り込めるようにして、前記各部材を浴槽内へ移動可能としている。
【００１３】
次に、側部ボトム５，５について説明する。なお、二つの側部ボトム５，５は、第５図と第６図に示すように、左右対称に構成されている。よって、ここでは、一方の側部ボトム５を用いて説明する。
側部ボトム５では、第５図に示すように、平面視において左側開放の略々コ字形状に曲折された枠フレーム５ａの両端部が筒形状の回動フレーム５ｂに固着されている。また、前記回動フレーム５ｂの両端部には、空孔部１５ａ，１５ａを穿たいた軸受板１５，１５が、それぞれ左方向へ突出するように固着されている。さらに、前記枠フレーム５ａの後部側中間部やや左側寄りの位置にボス部材１６が固着されると共に、枠フレーム５ａの右部に所定間隔をおいてボス部材１７，１７が固着されている。また、前記枠フレーム５ａ右部と回動フレーム５ｂとの間には複数の支持プレート５ｃ，５ｃ，・・・が固着されている。
【００１４】
また、上述のように構成された側部ボトム５，５には、第５図と第６図に示すように、それぞれ脚柵１８，１８が設けられ、該脚柵１８，１８は互いに左右対称に構成されている。よって、ここでは、一方の脚柵１８を用いて、脚柵１８，１８について説明する。
脚柵１８は、第５図に示すように、平面視において左側開放の略々コ字形状に曲折されたフレーム１８ａの両端部に固着されたボス部材１８ｂ，１８ｃを、それぞれ側部ボトム５の枠フレーム５ａの前部側中間部と後部側中間部に、螺子１９，１９とナット２０，２０にて枢結することで、側部ボトム５に取付けている。
そして、この脚柵１８は、第５図に示すように該脚柵１８と側部ボトム５が略々同一平面を形成する収納状態と、第１２図の（ｂ）から（ｄ）図に示すように螺子１９，１９を中心に該脚柵１８の右側が上方回動して、該脚柵１８が柵の役割を果たす状態で、係止手段２１によって保持可能とされている。
【００１５】
さらに、頭受け２２には係止軸２２ａ，２２ａが設けられており、それぞれの前記側部ボトム５，５に着脱可能とされている（第１２図参照。）。
すなわち、頭受け２２は、係止軸２２ａ，２２ａを側部ボトム５の前記ボス部材１７，１７に嵌合することで、側部ボトム５に組付けられる（第６図参照。）。
【００１６】
次に、中間ボトム７について、第７図を用いて説明する。
中間ボトム７では、側面視において上部が前方へ曲折された前側フレーム２３と側面視において上部が後方へ曲折された後側フレーム２４の両端部近傍に連結桁２５，２５が固着されている。また、前記前側フレーム２３と後側フレーム２４の両端部にはそれぞれ連結係合穴２３ａ，２３ａ，２４ａ，２４ａが穿たれている。さらに、前側フレーム２３と後側フレーム２４の正面視における中央部にはそれぞれ上下方向に長い係合穴２３ｂ，２４ｂが穿たれている。また、前記連結桁２５，２５間には複数の支持プレート２６，２６，・・・が固着されている。このように構成された中間ボトム７は、正面視において前記係合穴２３ｂ，２４ｂの中央を上下方向に通る線に対して左右対称となっている。
なお、本実施例では、中間ボトム７の左側に設けた前記連結係合穴２３ａ，２４ａを正面視において左側下がりの略々逆へ字形状とし、右側に設けた前記連結係合穴２３ａ，２４ａを正面視において右側下がりの略々へ字形状としている。
【００１７】
そして、第８図に示すように、前記側部ボトム５，５を支持フレーム４に組付け、該側部ボトム５，５間に連動機構６，６を介して中間ボトム７を組付ける。また、中間ボトム７と支持フレーム４間に規制手段Ｒを構成する。
詳述すると、まず、側部ボトム５，５の回動フレーム５ｂ，５ｂを支持フレーム４の支持パイプ４ａ，４ａにそれぞれ回動可能に外嵌めする。次に、中間ボトム７の係合穴２３ｂ，２４ｂに軸材２７を挿通し、該軸材２７の後部を支持フレーム４の前記ボス部材４ｄに挿し込む。このとき、左側に位置する側部ボトム５に設けた軸受板１５，１５間に中間ボトム７左部を配置すると共に、右側に位置する側部ボトム５に設けた軸受板１５，１５間に中間ボトム７右部を配置する。そして、連結軸２８にて左側に位置する側部ボトム５の前記軸受板１５，１５に設けた空孔部１５ａ，１５ａと中間ボトム７左側の連結係合穴２３ａ，２４ａを枢結する。さらに、連結軸２８にて右側に位置する側部ボトム５の前記軸受板１５，１５に設けた空孔部１５ａ，１５ａと中間ボトム７右側の連結係合穴２３ａ，２４ａを枢結する。然る後、連結フレーム２９の両端部に固着されたボス部材２９ａ，２９ａを螺子３０，３０にて支持フレーム４の支持パイプ４ａ，４ａ前端に止着する。このとき、連結フレーム２９の中央部に設けられたボス部材２９ｂに、前記軸材２７前部が挿し込まれた状態となるように、連結フレーム２９を配設する。
なお、前記各軸材２７，２８，２８と該各軸材２７，２８，２８が挿通されている前記各係合穴２３ａ，２３ａ，２３ｂ，２４ａ，２４ａ，２４ｂとの間にブッシュ部材３１，３１，・・・が位置するように、該ブッシュ部材３１，３１，・・・が各軸材２７，２８，２８に嵌められている。これにより、各軸材２７，２８，２８に対して中間ボトム７が滑らかに動くようにしている。また、連動機構６，６は、正面視において中間ボトム７の中央を上下方向に通る線に対して左右対称となっている。また、図示してはいないが、各ボトム５，５，７上にはマットが敷設される。
【００１８】
続いて、保持手段８，８について説明する。なお、保持手段８，８は、第９図に示すように、左右対称の構成とされており、ここでは、左側に位置する側部ボトム５と支持フレーム４間に構成される保持手段８を用いて説明する。
保持手段８は、支持フレーム４左側の前記基部材１４に設けた左側下がりの長穴１４ａと該長穴１４ａと連続する複数のフック穴１４ｂ，１４ｂ，・・・からなる係合穴１４ｃに、連結杆３２の一端部に固着された係合軸３２ａを該係合穴１４ｃに沿って摺動可能に組付け、さらに、前記連結杆３２の他端部を側部ボトム５のボス部材１６に螺子３３にて枢結することで、構成されている。
そして、この保持手段８は、前記連結杆３２の係合軸３２ａを、前記係合穴１４ｃのフック穴１４ｂ，１４ｂ・・・のいずれかに係止したり、係合穴１４ｃの長穴１４ａ下端部に係止することで、側部ボトム５を所定の回動状態で保持するようにされている（第９図から第１１図参照。）。なお、回動状態とは、第９図に示す側部ボトム５，５及び中間ボトム７が略々水平な状態や、第１０図や第１１図に示すように側部ボトム５，５及び中間ボトム７が傾斜した状態のことを意味している。
また、このように構成された保持手段８，８には、前記基部材１４，１４と連結杆３２，３２の基部材１４，１４側の一部を覆うカバー３４が取付けられる（第１図参照。）。
なお、図示してはいないが、保持手段としてガススプリング等の適宜伸縮可能な部材を用いて、該部材をそれぞれの側部ボトムと支持フレーム間に枢結した構成としても良い。すなわち、保持手段は、側部ボトムの回動状態を適宜保持できるものであれば良く、本実施例に限定するものではない。
【００１９】
そして、上述のように支持フレーム４に組付けられた側部ボトム５，５を回動操作すると、次のように連動機構６，６にて中間ボトム７は動作されると共に、動作された各ボトム５，５，７の状態が保持手段８，８と連動機構６，６及び規制手段Ｒによって保持される。以下に、第９図から第１１図を用いて詳述する。
まず、第９図に示すように、本実施例では、保持手段８，８の連結杆３２，３２の係合軸３２ａ，３２ａが基部材１４，１４に設けた係合穴１４ｃ，１４ｃの下方から二つ目のフック穴１４ｂ，１４ｂに係止された状態において、各ボトム５，５，７が略々水平な同一平面を形成する状態となるようにしている。
【００２０】
このような各ボトム５，５，７が略々水平な状態から、一方の側部ボトム５を上方回動すると、該側部ボトム５は組付けられた前記支持フレーム４の支持パイプ４ａを中心に上方回動する。すると、該側部ボトム５と中間ボトム７との間に構成した連動機構６が動作され、該連動機構６を構成する回動操作した側部ボトム５に設けた軸受板１５，１５と該軸受板１５，１５に支持された連結軸２８及び該連結軸２８が挿通されている連結係合穴２３ａ，２４ａが次のように動作される。まず、回動操作した側部ボトム５に設けた前記軸受板１５，１５が下方へ回動され、該軸受板１５，１５に支持された前記連結軸２８が下方へ回動される。これに伴って、該連結軸２８は挿通されている中間ボトム７の前記連結係合穴２３ａ，２４ａに沿って摺動しながら中間ボトム７の該連結係合穴２３ａ，２４ａ側を押し下げるようになる。これにより、中間ボトム７は他方の連結軸２８を中心に回動操作した側部ボトム５側が下方へ回動される（第１０図参照）。なお、中間ボトム７と支持フレーム４との間には軸材２７と係合穴２３ｂ，２４ｂからなる規制手段Ｒを構成していることから、中間ボトム７が上述のように下方へ回動される際には、前記軸材２７に沿って摺動しながら係合穴２３ｂ，２４ｂが下方へ動くこととなる。これと共に、このときの中間ボトム７の回動中心である前記連結軸２８と前記軸材２７の距離が一定に保たれることから、該連結軸２８が挿通されている連結係合穴２３ａ，２４ａは、該連結軸２８に沿って摺動しながら回動操作した側部ボトム５側へ動く。すなわち、中間ボトム７が上述のように下方へ回動される際に、中間ボトム７は、回動操作した側部ボトム５側に動くと共に、前記軸材２７に対して回動する。また、中間ボトム７の中央部は下方へ動く（第１０図参照。）。
そして、所望の起伏状態となる保持手段８の前記係合穴１４ｃの下方から二つ目のフック穴１４ｂより上方に位置するフック穴１４ｂ，１４ｂ，１４ｂの何れかに、前記連結杆３２の係合軸３２ａを係止する。すると、側部ボトム５は背上げした状態で保持手段８によって保持される。これと共に、前記連動機構６の軸受板１５，１５と連結軸２８も動作された状態で保持される。よって、中間ボトム７は、両端部が連結軸２８，２８によって支持されていることから、前記軸材２７に対して回動不可な状態となる。さらに、軸材２７に対して係合穴２３ｂ，２４ｂが動かない状態となる。その上、軸材２７と係合穴２３ｂ，２４ｂによって中間ボトム７の左右方向の動きが規制されていることから、中間ボトム７は支持フレーム４に対して動かない状態となる。すなわち、中間ボトム７は、連動機構６，６と規制手段Ｒによって、中間ボトム７の回動操作した側部ボトム５側が下方へ回動された状態で保持される（第１０図参照。）。
また、この際、他方の側部ボトム５は回動操作を行っていないので、他方の保持手段８の連結杆３２に設けた係合軸３２ａが係合穴１４ｃの下方から二つ目のフック穴１４ｂに係止されたままとなり、該側部ボトム５は動作しない（第１０図参照）。
【００２１】
そして、第１０図に示す状態から、先に操作した前記側部ボトム５をさらに上方回動すると、該側部ボトム５の軸受板１５，１５がさらに下方回動され、連結軸２８が前記連結係合穴２３ａ，２４ａに沿って摺動しながら中間ボトム７の該連結係合穴２３ａ，２４ａ側をさらに押し下げるようになる。これにより、中間ボトム７は他方の連結軸２８を中心に回動操作した側部ボトム５側がさらに下方回動される（第１１図参照。）。そして、この際、中間ボトム７は、上述のように、規制手段Ｒの作用によって回動操作した側部ボトム５側へさらに動くと共に、前記軸材２７に対してさらに回動する。また、中間ボトム７の中央部がさらに下方へ動く。
【００２２】
また、他方の側部ボトム５を下方回動すると、該側部ボトム５は組付けられた支持フレーム４の支持パイプ４ａを中心に下方回動する。すると、該側部ボトム５と中間ボトム７との間に構成した連動機構６が動作され、該連動機構６を構成する回動操作した側部ボトム５に設けた軸受板１５，１５と該軸受板１５，１５に支持された連結軸２８及び該連結軸２８が挿通されている連結係合穴２３ａ，２４ａが次のように動作される。まず、回動操作した側部ボトム５に設けた前記軸受板１５，１５が上方へ回動され、該軸受板１５，１５に支持された前記連結軸２８が上方へ回動される。これに伴って、該連結軸２８は挿通されている中間ボトム７の前記連結係合穴２３ａ，２４ａに沿って摺動しながら中間ボトム７の該連結係合穴２３ａ，２４ａ側を上方へ押し上げるようになる。これにより、中間ボトム７はもう一つの連結軸２８を中心に回動操作した側部ボトム５側が上方へ回動される（第１１図参照。）。なお、このとき、前記軸材２７に沿って摺動しながら係合穴２３ｂ，２４ｂが上方へ動くこととなる。これと共に、このときの中間ボトム７の回動中心である前記連結軸２８と軸材２７の距離が一定に保たれることから、該連結軸２８が挿通されている連結係合穴２３ａ，２４ａは、該連結軸２８に沿って摺動しながら回動操作した側部ボトム５側へ動く。すなわち、中間ボトム７が上述したように上方へ回動される際に、中間ボトム７は、回動操作した側部ボトム５側へ動くと共に、前記軸材２７に対して回動する。また、中間ボトム７の中央部は上方へ動く（第１１図参照。）。
そして、所望の起伏状態となる保持手段８の前記係合穴１４ｃの下方から二つ目のフック穴１４ｂよりも下方に位置するフック穴１４ｂに、連結杆３２の係合軸３２ａを係止する。又は、側部ボトム５を下方回動の限界まで回動させて、連結杆３２の係合軸３２ａを係合穴１４ｃの長穴１４ａ下端部に係止する（第１１図参照）。これらのようにすることで、側部ボトム５は下方回動した状態で保持手段８によって保持される。これと共に、前記連動機構６の軸受板１５，１５と連結軸２８も動作された状態で保持される。よって、中間ボトム７は、連動機構６，６と規制手段Ｒによって、上述したように、支持フレーム４に対して動かない状態となり、中間ボトム７の回動操作した側部ボトム５側が上方へ回動された状態で保持される。
また、この際、もう一方の側部ボトム５は先に選択された起伏状態で該側部ボトム５を保持する保持手段８によって保持され、該側部ボトム５は動作しない。
【００２３】
すなわち、この連動機構６，６は、回動操作する側部ボトム５，５に連動して中間ボトム７が傾斜するように動作する構成とされると共に、側部ボトム５，５を回動する方向に応じて、中間ボトム７の回動操作した側部ボトム５，５隣接側が回動操作した側部ボトム５，５の回動方向と反対方向に回動する構成とされている。
さらに、この連動機構６，６は、回動操作する側部ボトム５，５の回動量が大きくなるに連れて、中間ボトム７の回動量が大きくなるようにされている。なお、本実施例の連結係合穴２３ａ，２３ａ，２４ａ，２４ａの形状では、連動機構６，６によって中間ボトム７が回動されるときのその変化量が、所定の回動量を超えて側部ボトム５，５を回動するに連れて、少なくなる。
また、規制手段Ｒは、第１０図や第１１図に示すように、側部ボトム５，５を起伏した際に、二つの連結軸２８，２８が離間されることで、連結軸２８，２８と連結係合穴２３ａ，２３ａ，２４ａ，２４ａとの間における該連結軸２８，２８の左右に遊びＰが生じても、連動機構６，６の非作動時において、中間ボトム７が支持フレーム４に対して左右に動かないようにしている。つまり、連動機構６，６の非作動時において、連動機構６，６と規制手段Ｒは、中間ボトム７が支持フレーム４に対して動くことを防止した状態で、該中間ボトム７を保持するようにされている。
【００２４】
したがって、この連動機構６，６によると、入浴者の頭が位置する側の側部ボトム５を背上げすると中間ボトム７の入浴者の腰が位置する側が下がるように回動される。また、入浴者の脚が位置する側の側部ボトム５を下方回動すると中間ボトム７の入浴者の膝が位置する側が上がるように回動される（第１２図の（ｃ）から（ｆ）図参照。）。これによって、側部ボトム５，５を起伏したときに、入浴者が足側へズレ動くことを防止できる。さらに、側部ボトム５，５の回動量にあわせて入浴者の膝が屈曲され、入浴者は自動的に安定した快適な姿勢をとれるようになる。
また、この連動機構６，６によると、どちらの側部ボトム５，５側に入浴者の頭がくるように入浴者をボトム５，５，７に乗せても、上述の作用と効果を得ることができる（第１２図の（ｃ）から（ｆ）図参照。）。すなわち、この連動機構６，６によると、どちらの側部ボトム５，５も、入浴者の背中を支持する背ボトムとして使用可能になると共に、入浴者の脚を支持する脚ボトムとしても使用可能になる。
さらに、この連動機構６，６と規制手段Ｒによると、前記保持手段８，８によって側部ボトム５，５を保持した状態では、中間ボトム７が動かないようになる。これにより、各ボトム５，５，７の各回動状態において、各ボトム５，５，７が不用意に動くことのない安定した状態で保持できる。よって、入浴者がボトム５，５，７上で快適に過ごせるようになる。
【００２５】
なお、本実施例においては、中間ボトム７の左側に設けた前記連結係合穴２３ａ，２４ａを正面視において略々逆へ字形状をした左側下がりの形状とし、右側に設けた前記連結係合穴２３ａ，２４ａを正面視において略々へ字形状をした右側下がりの形状としている。しかしながら、前記連動機構６，６と同様の作用を得るためなら、連結係合穴の形状は、側部ボトム５，５の回動に伴って前記連結軸２８，２８が回動されるときに、該連結軸２８，２８がそれぞれ挿通されている各連結係合穴に沿って摺動可能かつ前記連結軸２８，２８に対して中間ボトム７が回動可能な、上下方向に長い長穴形状を除いたものであれば良い。例示すると、連結係合穴の形状を左右方向に長い形状の長穴としてもよい。このようにすると、側部ボトム５を最大限背上げしたときの中間ボトム７の回動量が、上述の連結係合穴２３ａ，２３ａ，２４ａ，２４ａの場合と比べて大きくなる。また、中間ボトム７の左側の連結係合穴を左側下がりの長穴形状とし、右側の連結係合穴を右側下がりの長穴形状としても良い。このようにすると、例えば、側部ボトム５を水平な状態から背上げした際に、中間ボトム７が回動されるときのその変化量を、側部ボトム５を背上げするに連れて徐々に少なくなるようにできる。なお、側部ボトム５を例えば水平な状態から背上げする際には、その初期段階では、中間ボトム７が大きく回動されるようにして、入浴者が足側へズレ動くことを防止できるようにすることが望まれる。また、中間ボトム７がある程度回動されてからは、中間ボトム７が回動されるときのその変化量を小さくして、側部ボトム５を最大限に背上げしたときに、入浴者が腰部に圧迫感を感じない程度に中間ボトム７が回動されるようにすることが望まれる。よって、例示した連結係合穴を組合わせることで、上述の条件を得られるようにした上述の連結係合穴２３ａ，２３ａ，２４ａ，２４ａの形状が最も望ましい。
また、本実施例においては、連結係合穴２３ａ，２３ａ，２４ａ，２４ａと連結軸２８，２８を用いて連動機構６，６を構成している。しかしながら、連結係合穴２３ａ，２３ａ，２４ａ，２４ａと連結軸２８，２８の代わりに、レールと、該レールに沿って摺動可能なローラーを用いて連動機構を構成して、側部ボトム５，５を回動操作したときに、ローラーがレールに沿って摺動することで、中間ボトム７を上述のように回動させるようにしても良い。すなわち、連動機構は、側部ボトム５，５の回動方向と逆方向に回動される側部ボトム５，５に設けた従動部材によって、中間ボトム７の両端部を支持し、一方の側部ボトム５を回動操作したときに、該側部ボトム５に設けた前記従動部材が、中間ボトム７の回動操作した側部ボトム５隣接側を押し上げたり押し下げたりすることで、中間ボトム７が他方の側部ボトム５に設けた従動部材を中心に傾斜するように回動する構成としてあれば良く、本実施例に限定するものではない。
【００２６】
さらに、本実施例では、中間ボトム７の係合穴２３ｂ，２４ｂを軸材２７にて支持フレーム４に枢結することで構成した規制手段Ｒによって、中間ボトム７の支持フレーム４に対する左右方向の動きを規制するようにしている。しかしながら、第１３図に示すように支持フレーム４の一方の支持パイプ４ａと中間ボトム７の正面視における中央部間にリンク片３５を枢結してなる規制手段Ｒとしても良い。このようにしても、中間ボトム７の左右方向の動きを規制できる。その上、中間ボトム７の両端部は前記連結軸２８，２８によって支持されていることから、連動機構６，６の非作動時では、リンク片３５は支持パイプ４ａに対して回動不可となると共に、中間ボトム７がリンク片３５との枢結部３５ａを中心に回動不可となる。このことから、その状態では、連動機構６，６と当該規制手段Ｒによって、中間ボトム７は支持フレーム４に対して動かないように保持される。また、連動機構６，６の作動時では、前記リンク片３５が支持パイプ４ａを中心に回動できることから、中間ボトム７は上下方向に動ける。その上に、中間ボトム７は枢結部３５ａを中心に回動できることから、中間ボトム７は連動機構６，６によって上述したように動作される。その他、第１４図に示すように、支持フレーム４の連結桁４ｂの中央部に下方へ突出するように固着したブラケット３６に、アーム３７の後端部に設けたボス部材３７ａを軸材３８にて枢結して、アーム３７を上下方向に回動可能に配設する。さらに、前記アーム３７の前端部に設けた軸材３７ｂを、中間ボトム７の正面視における中央部に設けた上下方向に長い長穴３９に挿通する。このように構成した規制手段Ｒとしても、中間ボトム７の左右方向の動きを規制できる。その上に、中間ボトム７の両端部は前記連結軸２８，２８によって支持されていることから、連動機構６，６の非作動時では、中間ボトム７が前記軸材３７ｂに対して回動不可となると共に、軸材３７ｂに対して長穴３９が動かない状態となる。このことから、その状態では、連動機構６，６と当該規制手段Ｒによって、中間ボトム７は支持フレーム４に対して動かないように保持される。また、連動機構６，６の作動時では、前記長穴３９に沿って摺動しながら軸材３７ｂが動けると共にアーム３７が支持フレーム４に対して上下方向に回動可能であることから、中間ボトム７は上下方向に動ける。その上に、中間ボトム７は前記軸材３７ｂに対して回動可能であることから、中間ボトム７は連動機構６，６によって上述したように動作される。よって、これらのようにしても、上述の方法と同様の作用と効果を得ることができる。すなわち、規制手段Ｒは、連動機構６，６によって中間ボトム７が回動されるときに、中間ボトム７が多少なり上下方向に動くこととなることから、中間ボトム７の上下方向の動きを可能としつつ中間ボトム７の左右方向の動きを規制できるように、支持フレーム４に対して少なくとも左右方向に不動とした部材に、該部材に対して中間ボトム７が回動可能かつ上下方向に動くことができるように、中間ボトム７を係止した構成としてあれば良く、本実施例に限定するものではない。
【００２７】
また、支持フレーム４の前記取付箱１３には手摺４０が設けられる（第１図参照。）。
この手摺４０は、第１２図の（ａ）図に示すように、軸材４０ａを中心にフレーム４０ｂが回動可能とされている。さらに、該フレーム４０ｂは図中実線で示す水平な状態と二点鎖線で示す略々起立した状態で保持可能とされている。また、前記フレーム４０ｂ前端部に枢結された手摺枠４０ｃは図中実線で示す状態から図中反時計回り方向に回動可能とされている。
【００２８】
次に、このように構成された入浴用ストレッチャー１の使用例を、第１２図を用いて説明する。
まず、ボトム５，５，７上に入浴者を乗せる際には、手摺４０を上方回動して（ａ）図の二点鎖線にて示す状態とし、その後、ボトム５，５，７上に入浴者を乗せる。そして、手摺４０を下方回動して図中実線にて示す状態として、入浴者の前方向への転落を防止する（（ｂ）図参照。）。なお、このとき、頭受け２２を組付けた側部ボトム５に入浴者の背中が位置するように入浴者を乗せ、該側部ボトム５を背ボトムとして用い、他方の側部ボトム５を脚ボトムとして用いる。
次に、入浴者を入浴させる姿勢にあわせて、背ボトムとして用いる側部ボトム５を（ｃ）図に示す背上げした状態としたり、（ｄ）図に示すように、背ボトムとして用いる側部ボトム５を背上げすると共に脚ボトムとして用いる側部ボトム５を下方回動した状態としたりする。
そして、入浴者の洗体を行った後等に、マスト３の昇降手段（図示省略）を動作させ、ボトム５，５，７ごと入浴者を浴槽内に移動させて、入浴者を入浴させる。
また、この入浴用ストレッチャー１は、浴室の構成に合わせて、背ボトムとして用いる側部ボトム５に頭受け２２を取付けることで、（ｃ）図や（ｄ）図に示す状態とは逆に（ｅ）図や（ｆ）図に示すようにして使用することも可能である。
さらに、側部ボトム５，５のそれぞれに脚柵１８，１８を設けており、脚ボトムとして用いている側部ボトム５に設けた脚柵１８を上方回動して柵の役割を果たす状態としておくことで、ボトム５，５，７やマット（図示省略）が水に濡れていたり、洗体用の石鹸がボトム５，５，７やマット（図示省略）についていたりしたときに、万一入浴者が足側へズレ動いたとしても、入浴者の転落を防止できる（（ｂ）から（ｆ）図参照。）。
また、この入浴用ストレッチャー１は、（ｄ）図や（ｆ）図に示すような状態とできることから、居室から浴室への移動の際等に、入浴者が車椅子に乗っている感覚で移動させることができ、入浴者に安心感を与えられる。さらに、入浴用ストレッチャー１の左右方向の長さを縮めるようにできることから、介護者が当該入浴用ストレッチャー１の取り回しを行いやすくなっている。
【産業上の利用可能性】
【００２９】
当該入浴用ストレッチャー１は、ベッドから診察台や車等に人を搬送する際や、時には診察台の代わりとして用いたりするストレッチャーとしても適用可能である。また、そのような用途においてのみ用いるストレッチャーとする場合は、当該入浴用ストレッチャー１のように支持フレーム４とマスト３との間に前記空間Ｓを設ける必要がないので、マストに支持フレームを組付けた際に空間Ｓが形成されない構成として良い。
【図面の簡単な説明】
【００３０】
【図１】入浴用ストレッチャーを示す斜視図。
【図２】ベースを示す説明図。
【図３】ベースにマストを立設した状態を示す説明図。
【図４】マストに支持フレームを組付けた状態を示す説明図。
【図５】側部ボトムと脚柵を示す説明図。
【図６】側部ボトムと脚柵及び頭受けを示す説明図。
【図７】中間ボトムを示す説明図。
【図８】支持フレームに各ボトムを組付ける様子を示す説明図。
【図９】連動機構と規制手段及び保持手段の作用を示す部分正面図。
【図１０】連動機構と規制手段及び保持手段の作用を示す正面図（１）。
【図１１】連動機構と規制手段及び保持手段の作用を示す正面図（２）。
【図１２】入浴用ストレッチャーの使用例を示す説明図。
【図１３】規制手段の別の構成を示す説明図。
【図１４】規制手段の別の構成を示す説明図。
【符号の説明】
【００３１】
１      入浴用ストレッチャー
２      ベース
３      マスト
４      支持フレーム
４ａ    支持パイプ
５      側部ボトム
６      連動機構
７      中間ボトム
Ｒ      規制手段
【図１】
0004726069.tif 000002
【図２】
0004726069.tif 000003
【図３】
0004726069.tif 000004
【図４】
0004726069.tif 000005
【図５】
0004726069.tif 000006
【図６】
0004726069.tif 000007
【図７】
0004726069.tif 000008
【図８】
0004726069.tif 000009
【図９】
0004726069.tif 000010
【図１０】
0004726069.tif 000011
【図１１】
0004726069.tif 000012
【図１２】
0004726069.tif 000013
【図１３】
0004726069.tif 000014
【図１４】
0004726069.tif 000015